(57)【要約】【課題】録画予約番組に重複があっても無駄なく最善の録画予約ができるようにする。【解決手段】録画予約しようとする番組あるいは録画ソースの送出時間帯と録画予約しようとする番組あるいは録画ソースの供給源（ＴＶチューナ、ライン入力、インターネットのサイト等）を選定し（ＳＴ１６）、前記時間帯および前記供給源が重ならないように複数の番組あるいは録画ソースの録画予約を自動的に登録する（図３のＳＴ１８〜ＳＴ３４）。【選択図】  図３
2010279050.tif 000002
【特許請求の範囲】
【請求項１】
第１及び第２のチューナと、
前記第１及び第２のチューナから入力されるコンテンツを録画する録画手段と、
録画の予約を行なう録画予約処理部であって、
前記第１のチューナを用いて録画でき、前記第２のチューナを用いて録画できない第１のコンテンツを録画予約するときであって、既に前記第１のチューナを用いて録画予約されている第２のコンテンツが前記第２のチューナを用いて録画予約できるとき、前記第２のコンテンツの録画で用いるチューナを前記第２のチューナに変更し、前記第１のコンテンツを前記第１のチューナを用いて録画予約する録画予約処理部と
を具備し、
前記コンテンツの録画予約には優先度が割り当てられ、
前記録画予約が変更された場合に変更後の録画予約が他の録画予約と重複するとき、前記変更後の録画予約の優先度と前記他の録画予約の優先度が同じならば、前記変更後の録画予約を正規の録画予約とするように構成された録画装置。
【請求項２】
前記録画予約には選択可能な候補があり、この候補の選択が古くなるほど前記優先度が落ちるように構成された請求項２に記載の録画装置。
【請求項３】
前記第１及び第２のチューナから入力されるコンテンツに対して録画予約を行なう録画予約方法であって、
前記第１のチューナを用いて録画でき、前記第２のチューナを用いて録画できない第１のコンテンツを録画予約するときであって、既に前記第１のチューナを用いて録画予約されている第２のコンテンツが前記第２のチューナを用いて録画予約できるとき、前記第２のコンテンツの録画で用いるチューナを前記第２のチューナに変更し、
前記第１のコンテンツを前記第１のチューナを用いて録画予約する録画予約方法において、
前記コンテンツの録画予約には優先度が割り当てられ、
前記録画予約が変更された場合に変更後の録画予約が他の録画予約と重複するとき、前記変更後の録画予約の優先度と前記他の録画予約の優先度が同じならば、前記変更後の録画予約を正規の録画予約とする録画予約方法。
【発明の詳細な説明】
【技術分野】
【０００１】
この発明は、複数録画ソース（複数番組）からの録画予約の改善に関する。特に、複数ＴＶチューナ（または１以上の内部ＴＶチューナと別の外部チューナ入力）からの複数放送番組を無駄なく予約する方法および装置に関する。
【背景技術】
【０００２】
近年、ＤＶＤビデオレコーディング（ＤＶＤ−ＶＲ）規格に基づくデジタルビデオレコーダが開発され、その高画質、簡便性、アクセス性の高さなどから、急速に普及が進んでいる。とくに、ＤＶＤ規格に基づく光ディスクの他に、記録媒体として大容量ハードディスクドライブ（ＨＤＤ）も装備したＤＶＤ／ＨＤＤハイブリッドレコーダが、その機能性の高さから好評を受けている。このようなハイブリッドレコーダでは、複数録画ソースの同時録画が可能なため、複数のＴＶチューナを装備して複数のＴＶ番組が（たとえ放送時間が重なっていても）録画可能になっている。
【０００３】
さらに近年、従来の地上アナログ放送の他に衛星デジタル放送や地上デジタル放送が視聴可能となり、レコーダ側での録画予約対象が増えてきている。このため、ユーザにとって録画予約設定が以前に増して手間取るようになってきた。この録画予約の手間を軽減する手段として、放送局あるいは外部サーバから電子番組情報を取り込んでユーザ所望の番組を電子的に検索できるように構成したものがある（特許文献１参照）。
【先行技術文献】
【特許文献】
【０００４】
【特許文献１】特開平０７−１６０７３２号公報
【発明の概要】
【発明が解決しようとする課題】
【０００５】
ユーザ所望の番組を電子的に検索できるようになれば、放送の多局化が進んでも所望の予約番組を見つけ易くはなる。しかしながら、複数の番組予約を一度に行なう場合、電子的な番組検索が可能であっても、録画予約番組の重複をユーザがチェックする手間は残る。さらに、重複した録画予約番組の全てが録画可能であれば良いのだが、使用する機器状況により重複した予約番組のうちの一部しか完全な予約録画ができない場合、どの番組を優先させて予約設定するかの手間もかかる。
【０００６】
この発明の課題の１つは、録画予約番組に重複があっても無駄なく最善の録画予約ができるようにすることである。
【課題を解決するための手段】
【０００７】
この発明の一実施の形態に係る録画予約方法は、１以上のＴＶチューナ（３０２〜３０４）および／または１以上の外部入力（３０１、３０５）からの複数録画ソース（種々な放送局から種々な時間帯に放送される番組および／またはＡＶ信号のアナログライン入力や外部ＡＶ機器からのデジタル入力等）に対して録画予約を行なう録画装置（図１）に適用できる。この方法では、録画予約しようとする番組あるいは録画ソース（ＴＶ番組、ネット配信されるＡＶコンテンツ等）の送出時間帯と録画予約しようとする番組あるいは録画ソースの供給源（ＴＶチューナ、ライン入力、インターネットのサイト等）を選定し（図３のＳＴ１６）、前記時間帯および前記供給源が重ならないように複数の番組あるいは録画ソースの録画予約を自動的に登録する（図３のＳＴ１８〜ＳＴ３４）ようにしている。
【発明の効果】
【０００８】
録画予約番組に重複があっても無駄なく最善の録画予約ができる。
【図面の簡単な説明】
【０００９】
【図１】この発明の一実施の形態に係るデジタルビデオレコーダ（複数チューナを装備したＤＶＤ／ＨＤＤハイブリッドレコーダ）の構成を説明する図。
【図２】図１の装置で用いられるリモートコントローラの一例を説明する図。
【図３】この発明の一実施の形態に係る「録画予約自動登録」処理を説明するフローチャート図。
【図４】この発明の他の実施の形態に係る「録画予約再配置」処理を説明するフローチャート図。
【発明を実施するための形態】
【００１０】
以下この発明の一実施の形態を図面を参照して説明する。図１は、この発明の一実施の形態に係る装置（録画予約が可能な映像機器：具体的にはマルチチューナ内蔵のＤＶＤ／ＨＤＤハイブリッドレコーダ）の一例を説明するブロック図である。この装置は、マクロプロセッシングユニット（ＭＰＵ）部１００、キー入力部１０１、リモコン１０２ａからのユーザ操作情報を受け取るリモコン受信部１０２ｂ、表示部１０３等を有する。
【００１１】
選択部３００には、オーディオビデオ入力部３０１ａ／３０１ｂ、アナログの地上波チューナ３０２からのアナログ信号、地上波デジタルチューナ３０３からのアナログ信号、ＢＳデジタルチューナ３０４からのアナログ信号、外部チューナ（セットトップボックス：ＳＴＢ）３０５からのアナログ信号が入力可能となっている（地上波チューナ３０２は同じものを複数台装備していてもよい）。ＳＴＢ３０５は、図示しない衛星アンテナに接続されており、受信したデジタル放送データのデコードを行なってＡＶ信号（アナログとデジタル）を発生させ、そのＡＶ信号を出力する（デジタルストリームについてはＩＥＥＥ１３９４に基づく信号伝送を利用できる）。また、選択部３００は、入力するストリームを選択し、主エンコーダ４０１及び又は副エンコーダ４０２に供給することができる。主エンコーダ４０１と副エンコーダ４０２は、入力信号を所定のフォーマット（ＤＶＤ規格又はこれに類似するフォーマット；例えばＤＶＤ−ＶＲ規格または次世代ＨＤ＿ＤＶＤ−ＶＲ規格のフォーマット）に変換し、その出力をデータ処理部１１に供給する。
【００１２】
エンコーダ４０１、４０２内は、Ａ／Ｄ変換器、ビデオエンコード部、ビデオエンコード部への入力切換セレクタ、オーディオエンコード部、副映像エンコード部、フォーマット部、バッファメモリ等を含んで構成されている。図１の装置は、主エンコーダ部４０１、副エンコーダ部４０２（主エンコーダ部と同一構成でよい）を有し、同時に２つのエンコード出力を得て、このエンコード出力を情報記録媒体（光ディスク１４および／またはハードディスクＨＤＤ１５）に記録することができる。
【００１３】
ＳＴＢ部（衛星および／または地上波デジタルチューナ）３０５で受け取ったＭＰＥＧ−ＴＳパケットデータは、エンコーダ部４０１および／または４０２内のフォーマッタ部でパケットグループ化されバッファメモリへ保存される。そして、バッファメモリに一定量たまった時点（１またはその整数倍のＣＤＡ分がたまった段階で）でディスク（１４および／または１５）に記録される。この時の動作は、ＴＳパケットを受信すると８５パケット（またはその整数倍のパケット）づつグルーピング化し、パケットグループヘッダを作成する。
【００１４】
また、地上波チューナ３０３やライン入力３０１ａ／３０１ｂから入力されたアナログ信号は、Ａ／Ｄ部（図示せず）でデジタル変換される。そのデジタル信号は、各エンコーダ部４０１、４０２へ入力される。エンコーダ４０１、４０２内では、ビデオ信号はビデオエンコード部（図示せず）へ、オーディオ信号はオーディオエンコード部（図示せず）へ、文字放送などの文字データは副映像エンコード部（図示せず）へ入力される。そして、ビデオ信号はＭＰＥＧエンコードされ、オーディオ信号はＡＣ−３（Ｒ）またはＭＰＥＧオーディオエンコード（ＡＡＣエンコードなど）され、文字データはランレングスエンコードされる。
【００１５】
各エンコーダ部４０１、４０２内では、エンコードされた圧縮データが、１ブロック２０４８バイトになるようにブロック化されて、フォーマッタ部へ入力される。フォーマッタ部では、各パケットがブロック化され、さらに、多重化され、データ処理部１１へ送られる。データ処理部１１は、記録データの１６（又は３２）データブロック毎に、エラー訂正データを付加したＥＣＣブロックを形成し、所定の変調を行なう。そして、変調されたデータは、データ暗号および復号化部１３ａを介してディスクドライブ部１３に送られるとともに、データ暗号および復号化部１５ａを介してハードディスクドライブ部１５に送られる。
【００１６】
ここで、例えばドライブ部１３がシーク中やトラックジャンプなどの場合のため、ビジー状態の場合には、一次記憶部１２が利用され、ドライブ部１３の準備ができるまで待つこととなる。データ処理部１１は、ＭＰＵ部１００の制御の下で、記録するデータを、ディスクドライブ部１３、ハードディスクドライブ（ＨＤＤ）部１５に記録データ単位毎（例えば物理的な連続記録単位であるＣＤＡ単位毎）に時分割で送ることができる。
【００１７】
各エンコーダ部４０１、４０２には、フォーマッタ部があり、先の記録データをデータ処理部１１に送ると共に、録画中、各切り分け情報を作成し、定期的にＭＰＵ部１００へ送る（ＧＯＰ先頭割り込みなど）。ここでの切り分け情報としては、ドライブへのアクセス単位となるビデオオブジェクトユニットＶＯＢＵの論理ブロックＬＢ数、ＶＯＢＵ先頭からのIピクチャのエンドアドレス、ＶＯＢＵの再生時間などがある。
【００１８】
システムタイムカウンタ（ＳＴＣ）部５００は、２７ＭＨｚベースでクロックカウントを行うように構成され、装置の各部のブロックの基準クロックを生成している。
【００１９】
６０１は、デコーダ部である。再生時に光ディスク１４および／またはハードディスク１５から読み取られたデータは、データ処理部１１で、増幅及びエラー訂正処理が行われ、デコーダ部６０１に送られる。デコーダ部６０１は、メモリを内蔵する分離部、縮小画像（サムネールなど）の生成部を内蔵するビデオデコード部、副映像（ＳＰ）デコード部、オーデオデコード部、ＴＳパケット転送部、ビデオプロセサ（Ｖ−ＰＲＯ）部、オーディオ用Ｄ／Ａ変換器等を含んで構成される。デコーダ部６０１内のＤ／Ａ変換器からのアナログ出力（モノラル、ステレオ、あるいはＡＡＣ５．１ＣＨサラウンド）は、図示しないＡＶアンプ等で増幅されて出力されスピーカ部６０５に入力される。ここでは、必要本数のスピーカが適宜駆動される。
【００２０】
録画中のコンテンツをテレビジョンなどの表示部６０４に表示するために、記録するストリームデータを、データ処理部１１に送るのと同時に、デコーダ部６０１へも同時に送り、その再生（録画モニタ）を行うことができる。この場合、ＭＰＵ部１００はデコーダ部６０１へ再生時の設定を行い、その後はデコーダ部６０１が自動的に再生処理を行う。このときに用いるストリームデータの設定情報は、ＭＰＵ部１００内のＳＴＩ設定部で作成することができる。
【００２１】
ＭＰＵ部１００は、録画予約等において時刻を参照するためのタイマと、図３〜図４を参照して説明する録画予約処理をファームウエアとして実行する録画予約処理部（録画予約の結果を登録するメモリも含む）も備えている。
【００２２】
ＭＰＵ部１００は、さらに、ネットワークＩ／Ｆ７００を介してインターネットに接続可能に構成されている。ＭＰＵ部１００は、デジタルチューナ３０３〜３０５あるいはインターネット上のＥＰＧサイトから、適宜電子番組情報（ＥＰＧ情報）を取り込むことができるようになっている。ネットワークＩ／Ｆ７００からは、ネット配信されるＡＶコンテンツ等を取り込むこともできる。このＥＰＧ情報（放送時間情報、放送チャネル情報、タイトル情報その他の関連情報コードなど）から、録画しようとするコンテンツの内容を特定できる。
【００２３】
なお、図１の装置構成において、光ディスクドライブ１３もＨＤＤ１５も高速リード・ライトが可能なため、録画するコンテンツがコピー制限されていない（コピーフリー）であれば、以下のような処理が可能となっている；
（１）エンコーダ４０１および４０２からの記録データを記憶部１２に一旦バッファリングする。記憶部１２からエンコーダ４０１のデータをディスク１４に高速ダビング中に、その後のエンコーダ４０１からの記録データを記憶部１２にバッファリングする。このバッファリング中に、記憶部１２から以前バッファリングしたエンコーダ４０２のデータをディスク１４に高速ダビングする。以上の処理を交互に反復することにより、２つのコンテンツ（例えば地上アナログチューナ３０２からの放送コンテンツとライン入力３０１ａからのコンテンツ）を、ディスク１４に同時録画（ダブル録画またはＷ録画）できる。
【００２４】
（２）エンコーダ４０１および４０２からの記録データを記憶部１２に一旦バッファリングする。記憶部１２からエンコーダ４０１のデータをＨＤＤ１５に高速ダビング中に、その後のエンコーダ４０１からの記録データを記憶部１２にバッファリングする。このバッファリング中に、記憶部１２から以前バッファリングしたエンコーダ４０２のデータをＨＤＤ１５に高速ダビングする。以上の処理を交互に反復することにより、２つのコンテンツを、ＨＤＤ１５に同時録画（ダブル録画）できる。
【００２５】
（３）上記（１）の処理に加えて、さらに、ディスク１４に同時録画をしている最中に、エンコーダ４０１または４０２からのデータをＨＤＤ１５にパラレルに録画することもできる。あるいは、録画途中でディスク１４を使いきってしまった場合に、続きの録画をＨＤＤ１５に継続すること（リレー録画またはリリーフ録画）もできる。
【００２６】
（４）上記（２）の処理に加えて、さらに、ＨＤＤ１５に同時録画をしている最中に、エンコーダ４０１または４０２からのデータをディスク１４にパラレルに録画することもできる。あるいは、録画途中でＨＤＤ１５を使いきってしまった場合に、続きの録画をディスク１４に継続すること（リリーフ録画）もできる。
【００２７】
（５）エンコーダ４０１（または４０２）からのデータをディスク１４に録画中に、エンコーダ４０２（または４０１）からのデータをＨＤＤ１５に録画する。これにより、２つのコンテンツを、ディスク１４とＨＤＤ１５に同時録画（ダブル録画）できる。
【００２８】
上記（１）〜（５）の処理は、録画するコンテンツがいずれもコピー制限されていない（コピーフリー）場合には問題なく実行できる。一方、録画するコンテンツがコピーネバーでありその移動（ムーブ）もできない場合は、上記（１）〜（５）の処理は実行できない。しかし、録画するコンテンツがコピーワンスである場合は、そのムーブの可否の条件も加味すると、上記（１）〜（５）の処理の幾つかは制限付で実行可能となる。
【００２９】
なお、以下の説明では２つの入力１と入力２の同時録画を想定しているが、入力１と入力２は図１の選択部３００で選択されるソースのうちの任意の２つでよい。ここで、入力１および／または入力２として選択されたソースがＣＧＭＳ（Copy Generation Management System）方式でコピー管理されないコンテンツであるときは、それはコピーフリーとして扱うことにする。一方、マクロビジョン（Ｒ）方式などでコピーが禁止されたアナログソースが入力されたときは、そのソースのコンテンツはコピーネバーとして扱うことにする。
【００３０】
もし、録画予約時に録画しようとするソースがコピーネバーであることが分かっているときはそのソースは録画予約対象から外される。録画予約時にコピーネバーであることに気づかずそのまま録画予約されてしまったとき（例えばＡＶ入力３０１ａからの信号を録画予約したところその信号がコピーネバーであった場合など）は、その録画予約は実行されない。あるいは、予約されたコピーネバーのソースより優先度の低い予約が同じ時間帯に登録されておれば、この優先度の低い予約が実行されるようにしてもよい。
【００３１】
図２は、図１の装置で用いられるリモートコントローラ１０２ａの一例を説明する図である。リモートコントローラ１０２ａには、各種のキーが設けられているが、主に、この発明の実施に関連するキーについて説明することにする。リモートコントローラ中央上部に配置されているキーは、左右上下にカーソルを移動させるためのカーソルキー１１ａ、１１ｂ、１１ｃ、１１ｄであり、このカーソルキーの中央には決定キー１１ｅが設けられている。また１１ｆはメニューキーであり、１１ｇは番組表キーである。地上アナログ放送の電子番組表（ＣＨ１０のＡＤＡＭＳ等）、地上デジタルの電子番組表、および／またはＢＳデジタルの電子番組表は、番組表キー１１ｇを押すと表示部６０４に表示される。また、クイックメニューキー１１ｈを押すと、表示部６０４に、種々なユーザ操作を選択させるメニュー表示がポップアップするようになっている。
【００３２】
図３は、この発明の一実施の形態に係る「録画予約自動登録」処理を説明するフローチャート図である。この処理は、例えば図２のリモートコントローラ１０２ａを用いて、図１の映像機器（マルチチューナ内蔵のＤＶＤ／ＨＤＤハイブリッドレコーダ）に対して実行できる。
【００３３】
まず、ユーザがリモートコントローラ１０２ａの番組表キー１１ｇを押し、例えば全チャネル表示モードを選択すると、図１の表示部（外部モニタまたはＴＶ）６０４に、そのレコーダで録画可能な全チャネルの番組表（図示せず）が表示される。この番組表は、例えば左縦列に放送局またはライン入力を示す記号（ＣＨ１、ＢＳ１０３、Ｌ−１等）が表示され、左側から右側に向かう横列には、放映時間系列に沿って、順に、各放送局の放映予定番組の名称または記号が列挙される。この番組表上にはカーソル（図示せず）があり、このカーソルはリモートコントローラ１０２ａのカーソルキー１１ａ，１１ｂ，１１ｃ，１１ｄにより左右上下に移動可能となっている。
【００３４】
ユーザ所望の番組上にカーソルが移動されたあと決定キー１１ｅが押されると、そのときにカーソルが存在した位置にある番組が録画予約の候補として選択される。例えば、地上アナログＣＨ１の９：００〜１０：００ＰＭの番組位置にカーソルがあるときに決定キー１１ｅが押されると、その番組放映日の９：００〜１０：００ＰＭにＣＨ１で放送され地上波チューナ３０２で受信されるその番組が、録画予約の候補となる（ここで候補としたのは、この録画予約候補が別の録画予約と重複する等の場合に、結果的に有効な録画予約とならない可能性があるからである）。
【００３５】
録画予約の候補となった番組は、録画予約自動登録候補番組群（ｑ）の一部として、図１のＭＰＵ１００に設けられた、録画予約処理部内の登録メモリに格納される。この登録メモリに格納される候補番組には、ユーザ指定の優先度（例えば最も優先度の高い優先度１から最も優先度の低い優先度９まで）が付される。なお、ユーザが優先度指定しないときは、録画予約が重複する番組に関して、最新の選択候補を優先度１とし、選択が古くなるに従い優先度を１つずつ繰り下げ、最終的には優先度９でストップするように構成できる。ここで、優先度指定の方法は幾つか考えられる。すなわち、最新の録画予約ほど優先度を高める方法（この方法が例えばデフォルトであるとする）の他に、ジャンル別に優先度をユーザが事前に決めておくことができる。例えばアニメ番組を最優先とし、映画番組を第２優先とし、ドラマ番組を第３優先とする等である。
【００３６】
以上のような「録画予約する候補番組」の選択処理が未だ終わっていないときは（ステップＳＴ１２ノー）、前記登録メモリ内の録画予約自動登録候補番組群（ｑ）から、前記優先度の高い順に、１つの番組情報（ｐ）が前記登録メモリから取得される（ステップＳＴ１６）。そして、取得された番組情報（ｐ）と放送局（放送チャネル）が同じで、かつ取得された番組情報（ｐ）の放映時間帯（予定された放映開始時刻から放映終了時刻まで）を包含するものが前記登録メモリ内の録画予約自動登録候補番組群（ｑ）の中に既に存在するかどうか、使用チューナを問わずにチェックされる（ステップＳＴ１８）。既に存在するときは（ステップＳＴ１８イエス）、その番組情報（ｐ）は正規の録画予約として登録されることなく、その次の優先度の番組情報（ｐ）が前記登録メモリ内の録画予約自動登録候補番組群（ｑ）から取得され（ステップＳＴ１６）、同様なチェックが行われる（ステップＳＴ１８）。
【００３７】
上記のチェック過程において、取得された番組情報（ｐ）と放送局が同じで、かつ取得された番組情報（ｐ）の放映時間帯を包含するものが前記登録メモリ内の録画予約自動登録候補番組群（ｑ）の中に存在しないときは（ステップＳＴ１８ノー）、その番組情報（ｐ）の放送が第１チューナ（例えば図１の地上波チューナ３０２）を用いた既存録画予約と放送時間帯が重複するかどうかチェックされる（ステップＳＴ２０）。ここで、この「既存録画予約」の情報は、図１のＭＰＵ１００に設けられた録画予約処理部内の登録メモリ（録画予約自動登録候補番組群（ｑ）とは別アドレス）に格納しておくことができる。重複しないときは（ステップＳＴ２０ノー）、その番組情報（ｐ）を正規の録画予約として登録（前記登録メモリ内に格納）する（ステップＳＴ２８）。そして、次の優先度の番組情報（ｐ）が前記登録メモリ内の録画予約自動登録候補番組群（ｑ）から取得され（ステップＳＴ１６）、同様なチェックが行われる（ステップＳＴ１８）。
【００３８】
上記のチェック過程において、その番組情報（ｐ）の放送が第１チューナを用いた既存録画予約と放送時間帯が重複するときは（ステップＳＴ２０イエス）、その番組情報（ｐ）の放送が第１チューナでしか録画できないものであるかどうかチェックされる（ステップＳＴ２２）。その番組情報（ｐ）の放送が第２チューナ（図１の地上波デジタルチューナ３０３あるいはＢＳデジタルチューナ３０４もしくは図示しない別の装置内蔵地上波アナログチューナ等）でも録画できるものであるときは（ステップＳＴ２２ノー）、その番組情報（ｐ）の放送が第２チューナを用いた既存録画予約と放送時間帯が重複するかどうかチェックされる（ステップＳＴ２４）。重複しなければ（ステップＳＴ２４ノー）、その番組情報（ｐ）を正規の録画予約として登録（前記登録メモリ内に格納）する（ステップＳＴ２８）。そして、次の優先度の番組情報（ｐ）が前記登録メモリ内の録画予約自動登録候補番組群（ｑ）から取得され（ステップＳＴ１６）、同様なチェックが行われる（ステップＳＴ１８）。
【００３９】
上記のチェック過程において、その番組情報（ｐ）の放送が第２チューナを用いた既存録画予約と放送時間帯が重複するときは（ステップＳＴ２４イエス）、その番組情報（ｐ）は正規の録画予約として登録されることなく、その次の優先度の番組情報（ｐ）が前記登録メモリ内の録画予約自動登録候補番組群（ｑ）から取得され（ステップＳＴ１６）、同様なチェックが行われる（ステップＳＴ１８）。
【００４０】
上記のチェック過程において、その番組情報（ｐ）の放送が第１チューナでしか録画できないものであるときは（ステップＳＴ２２イエス）、その番組情報（ｐ）と放送時間帯が重複する既存録画予約群（ｑ）の中に第１チューナでしか録画できないものがあるかどうかチェックされる（ステップＳＴ３０）。第１チューナでしか録画できないものがあるときは（ステップＳＴ３０イエス）、その番組情報（ｐ）は正規の録画予約として登録されることなく、その次の優先度の番組情報（ｐ）が前記登録メモリ内の録画予約自動登録候補番組群（ｑ）から取得され（ステップＳＴ１６）、同様なチェックが行われる（ステップＳＴ１８）。
【００４１】
上記のチェック過程において、その番組情報（ｐ）と放送時間帯が重複する既存録画予約群（ｑ）の中に第１チューナでしか録画できないものはないときは（ステップＳＴ３０ノー）、既存録画予約群（ｑ）の中に、第２チューナで既存録画予約と放送時間帯が重複するものがあるかどうかチェックされる（ステップＳＴ３２）。重複するものがないときは（ステップＳＴ３２ノー）、既存録画予約群（ｑ）の全てを第２チューナによる録画予約に変更し（ステップＳＴ３４）、その番組情報（ｐ）を正規の録画予約として登録（前記登録メモリ内に格納）する（ステップＳＴ２８）。そして、次の優先度の番組情報（ｐ）が前記登録メモリ内の録画予約自動登録候補番組群（ｑ）から取得され（ステップＳＴ１６）、同様なチェックが行われる（ステップＳＴ１８）。
【００４２】
既存録画予約群（ｑ）の中に、第２チューナで既存録画予約と放送時間帯が重複するものがあるときは（ステップＳＴ３２イエス）、の番組情報（ｐ）は正規の録画予約として登録されることなく、その次の優先度の番組情報（ｐ）が前記登録メモリ内の録画予約自動登録候補番組群（ｑ）から取得され（ステップＳＴ１６）、同様なチェックが行われる（ステップＳＴ１８）。
【００４３】
以上の処理が全ての優先度の番組情報（ｐ）に対して実行し終えたら（ステップＳＴ１２イエス）、図３の録画予約自動登録処理は終了する。処理が終了すると、その旨をユーザに告げるダイアログ（図示せず）が図１の表示部６０４にオンスクリーン表示される。このとき図２のリモートコントローラ１０２ａの番組表キー１１ｇを押すと、図１のレコーダはその他の処理モード（例えば再生モード等）に移行できる。
【００４４】
図４は、この発明の他の実施の形態に係る「録画予約再配置」処理を説明するフローチャート図である。まず、ユーザがリモートコントローラ１０２ａのクイックメニューキー１１ｈを押し、予約変更（予約キャンセル）の項目を選択すると、図１の表示部（外部モニタまたはＴＶ）６０４に、そのレコーダで現在録画予約されている内容（図示せず）が表示される。
【００４５】
この「予約変更（予約キャンセル）」の処理が未だ終わっていないときは（ステップＳＴ４２ノー）、表示された全録画予約内容から、１つの録画予約（ｐ）が選択される（ステップＳＴ４６）。この選択は、ユーザがリモートコントローラ１０２ａの矢印キー１１ａ〜１１ｄで図示しないカーソルを移動させ、所望の録画予約箇所にカーソルがきたら決定キー１１ｅを押すことで、実行できる。決定キー１１ｅが押されると、選択された録画予約（ｐ）の予約内容が変更できるような表示（図示せず）が表示部６０４に表示される。
【００４６】
ユーザは、表示を見ながら、その録画予約（ｐ）について、放送チャネル、予約日、予約開始時刻、予約終了時刻、使用チューナ、録画を行なう媒体（ＨＤＤ／ＤＶＤ等）の変更（予約キャンセルでもよい）を行なう（ステップＳＴ４８）。この変更操作後に決定キー１１ｅが押されると、ＭＰＵ１００は録画予約（ｐ）の変更後の予約開始時刻、予約終了時刻等の情報を獲得する（ステップＳＴ５０）。
【００４７】
変更後の録画予約（ｐ）が他の録画予約と時間帯と重複するときは（ステップＳＴ５２イエス）、変更後の録画予約（ｐ）と重複相手の録画予約（１または複数）との間で優先度が比較される。重複相手全ての優先度よりも変更後の録画予約（ｐ）の優先度の方が高いときは（ステップＳＴ５４イエス）、変更後の録画予約（ｐ）が正規の録画予約として再登録（ＭＰＵ１００内の登録メモリ内に格納）される（ステップＳＴ５８）。そうでないときは（ステップＳＴ５４ノー）、更後の録画予約（ｐ）はキャンセルされる。
【００４８】
なお、重複相手全ての優先度のうち最も優先度の高いものと変更後の録画予約（ｐ）の優先度とが同じ場合は、ステップＳＴ５４でイエスの場合と同様に、変更後の録画予約（ｐ）を正規の録画予約として再登録するように構成してもよい。
【００４９】
以上の操作（ステップＳＴ４６〜ＳＴ５８）が、予約変更したい全ての録画予約（ｐ）に対して実行されたら（ステップＳＴ４２イエス）、図４の録画予約再配置処理は終了する。
【００５０】
上述した図３〜図４の処理を実行するプログラムは、図１のＭＰＵ部１００内のファームウエアＲＯＭ内に格納しておくことができる。また、このプログラムの実行時に用いるワークエリアには、ＭＰＵ部１００内のワークメモリを利用することができる。さらに、プログラムの実行時に、適宜、ＭＰＵ部１００内のＲＯＭ／ＲＡＭを利用することもできるようになっている。例えば、デジタルチューナやインターネットのＥＰＧサイトから得たＥＰＧデータは、ＭＰＵ部１００内のＲＡＭに格納できる。また、事前に分かっている各放送局の情報（局を示すロゴやアイコンなど）は、ＭＰＵ部１００内のＲＯＭに格納しておくことができる。
【００５１】
＜実施の形態による効果＞
（１）時間帯および録画ソース（録画予約に使用するチューナ等）が重なった録画予約があっても予約された録画が欠けることはない。
【００５２】
（２）同一の番組を複数のチューナで幾つも（ダブって）録画するような無駄がない。
【００５３】
（３）録画予約の自動再配置によって、可能な限り多くの予約録画が可能となる。
【００５４】
（４）ユーザが意図した優先度で録画予約を実行できる。
【００５５】
（５）録画予約の再配置によって、ユーザの優先する録画が欠けることがない。
【００５６】
以上から、ユーザに手間をかけさせずに予約を自動登録する一方で、ユーザが意識して行った予約は確実に実行するという、録画機器としての基本機能と付加価値を両立できる。
【００５７】
なお、この発明は前述した実施の形態に限定されるものではなく、現在または将来の実施段階では、その時点で利用可能な技術に基づき、その要旨を逸脱しない範囲で種々に変形することが可能である。例えば、図１の実施の形態では２エンコーダ／２ドライブ構成で２番組の同時録画が可能な構成を例示しているが、同様な考え方で、Ｎエンコーダ／Ｍドライブ構成に発展させることもできる（例えば４エンコーダ／３ドライブ構成とか、２エンコーダ／２ドライブ構成の機器を２台ネットワーク接続して一体化し実質的に４エンコーダ／４ドライブ構成にするなど）。また、ＤＶＤ／ＨＤＤドライブとＴＶチューナを備えたパーソナルコンピュータにおいても、この発明を用いたソフトウエアをインストールすることにより、この発明を実施することができる。さらに、予約された録画対象を記録する媒体は、光ディスクやＨＤＤだけに限られることはなく、録画実行時点で利用可能なその他の記憶媒体（半導体メモリ等）を適宜使用（併用）してもよいし、ＩＥＥＥ１３９４やＵＳＢ等のパソコンインターフェースを介して接続された外部機器の記憶装置も利用できる。
【００５８】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【符号の説明】
【００５９】
１３…光ディスクドライブ部；１４…光ディスク（ＤＶＤ−ＲＡＭ、ＤＶＤ±ＲＷ、ＤＶＤ±Ｒなど）；１５…ハードディスクドライブ部（ＨＤＤ）；１００…制御ＭＰＵ部。
【図１】
2010279050.tif 000003
【図２】
2010279050.tif 000004
【図３】
2010279050.tif 000005
【図４】
2010279050.tif 000006